(57)【要約】【課題】  開口時に操作体を後方へスライドさせず、嵩張らず着用者に違和感を与えず、ウエスト部のシルエットを崩さないアジャスタ用スライダ等の提供。【解決手段】  複数の掛止部を列設したスライダレールに対しスライド及び掛止が可能で、スライダ基体とその先端を開閉する金属製の操作体とを備え、スライダ基体は、金属製のスライダ枠体と該スライダ枠体よりも前後幅若しくは左右幅の大きい外形を有する合成樹脂製基板とからなり、合成樹脂製基板はスライダ枠体の軸部を有する側壁が貫通する嵌込用穴を左右に備え、操作体とスライダ枠体で合成樹脂製基板を挟み、スライダ枠体と合成樹脂製基板とを固着し、操作レバーの押下げで操作体の後端下部が合成樹脂基板と当接するアジャスタ用スライダ。【選択図】  図１
0003117440.tif 000002
【実用新案登録請求の範囲】
【請求項１】
長手方向に複数の掛止部を列設したスライダレールに対してスライド及び掛止が可能であり、スライダ基体と該スライダ基体の先端を開閉する金属製の操作体とを備えたアジャスタ用スライダにおいて、
スライダ基体は、金属製のスライダ枠体と該スライダ枠体よりも前後幅若しくは左右幅の大きい外形を有する合成樹脂製基板とからなり、合成樹脂製基板はスライダ枠体の軸部を有する側壁が貫通する嵌込用穴を左右に備え、
操作体とスライダ枠体で合成樹脂製基板を挟み、スライダ枠体と合成樹脂製基板とを固着し、
開口操作における操作レバーの押下げによって、金属製の操作体の後端下部が合成樹脂基板と当接する構成としたことを特徴とするアジャスタ用スライダ。
【請求項２】
合成樹脂製基板の基板中央部のうち左右の嵌込用穴間における厚みを、前記基板中央部の他の部分の厚みよりも薄く形成したことを特徴とする請求項１記載のアジャスタ用スライダ。
【請求項３】
合成樹脂製基板の前端部及び後端部は操作体側へ反り上がった形状としたことを特徴とする請求項１又は２記載のアジャスタ用スライダ。
【請求項４】
操作体は、軸穴の下後方に回動時の支点となる下端支持部を突設してなるアジャスタ用スライダにおいて、合成樹脂製基板の基板中央部に段部を形成し、段部より前方となる中央前部の厚みを、段部より後方となる中央後部の厚みよりも大きくしたことを特徴とする請求項１、２又は３記載のアジャスタ用スライダ。
【請求項５】
合成樹脂製基板の前方部及び後方部には、溝状の縫着部を形成したことを特徴とする請求項１、２、３又は４記載のアジャスタ用スライダ。
【請求項６】
請求項１、２、３又は４記載のアジャスタ用スライダを備えたことを特徴とするアジャスタ。
【請求項７】
ウエスト部に請求項５記載のアジャスタを備えたことを特徴とする衣服。
【考案の詳細な説明】
【技術分野】
【０００１】
本考案は、ズボン、スカート等（以下、単に「衣服」という。）のウエスト部分等のサイズ調節のための生地の重合部分に取付けて、ウエスト部分のサイズ調節を可能とするアジャスタにおけるアジャスタ用スライダの改良に関する。
【背景技術】
【０００２】
衣服のウエスト部のサイズ調節のためのアジャスタは、着用者のウエストサイズに応じた最適な衣服のウエストサイズを非常に容易に実現できるため、現在多種多様のものが製造販売されている。
【０００３】
本出願人は、先に上記衣服のウエストサイズ用アジャスタのウエストに対する取付構造として、係止突条を具備したアジャスタレールと、該係止突条と係合する係合爪を備えた操作体を基板に対して開閉自在とするとともに、アジャスタレールを通すための空間を前記操作体及び基板の間に形成したスライダとからなり、ズボン、スカート等ウエスト打ち合わせ部の外側生地内面に前記スライダを、また内側生地外面に前記スライダを通したアジャスタレールの両端を固定して取付けたウエストサイズ調節用アジャスタの取付構造において、外側生地を両面から挟着する内面側部材及び外面側部材からなる一対の挟着部材の前記内面側部材における係合部と、スライダの基板に設けられた基板係合部とを嵌着手段等で連結する構造（例えば、特許文献１参照。）を開示している。
【０００４】
また、本出願人は、ウエストサイズ調節用アジャスタのスライダとして合成樹脂製の可撓性板材を備えた構成のもの（例えば、特許文献２参照。）を開示している。
【０００５】
【特許文献１】特開２００１−１１７１９号公報（特許第３４８６８３４号）
【特許文献２】実登３０６６１２９号公報第２頁図４
【考案の開示】
【考案が解決しようとする課題】
【０００６】
上記特許文献１に開示したウエストサイズ調節用アジャスタの取付構造において用いられるスライダは、延設板を取着した操作板と基板とからなる金属製のスライダである。当該スライダは、上記特許文献１段落２２にも開示されるように、サイズ調節する際に、操作体を指で押圧すると、該操作体の側面下側に設けた長孔形状の軸孔で確保される寸法分だけ、基板側板のガイド爪部に対して前記操作体がスライドするとともに、操作体のガイド側端部が、延設板におけるガイド用切欠きに対して嵌り込み、前期ガイド側端部と、ガイド用切欠きの縁との当接部分が支点となって、操作体が基板に対して引き下がって大きく開口し、操作体をスライドさせる力が、該操作体を持ち上げる力として加わることから、より小さい力で、操作体を持ち上げることができ、サイズ調節を楽にすることができる効果を有するものである。
【０００７】
この効果は非常に顕著で、当該ウエストサイズ調節用アジャスタの取付構造はこの点で非常に優れたものである。しかし一方で、あまり操作体をスライドさせないで基板に対して操作体を開口させようとすると、金属部材相互を押し付ける結果となり、開口がスムーズに行えないことがある。このため、小さな力で操作体を持ち上げるには、操作体をある程度意識して後方へスライドさせる必要があった。
【０００８】
一方、本出願人が特許文献２に開示した考案は、操作体と基体とからなる金属製のスライダ本体（スライダ）を利用するものであり、挟着部材とナイロン製の可撓性板材を用いて、アジャスタレールを挟持する構成である。特許文献２に係るスライダは公知の多種のスライダを利用することができ、上記特許文献１に係るスライダを特許文献２におけるスライダ本体に代えて使用することも可能である。
【０００９】
しかしながら、この場合においても、結局操作体と基体とからなる金属製のスライダ本体を使用することから、特許文献１におけるスライダについて、あまり操作体をスライドさせないで基板に対して操作体を開口させようとすると開口がスムーズに行えない点については、何ら解消できるものではなかった。
【００１０】
また、特許文献２に係るスライダ本体には、数多くの部材、即ち、挟着部材、可撓性板材、基体、操作体が積重ねられることから、アジャスタ全体の厚みが増して嵩高くなり、着用者に違和感を与え、ウエスト部のシルエットを崩す結果を招来していた。
【００１１】
本考案は以上の事情に鑑みてなされたものであり、スライダの開口に際して操作体を意識して後方へスライドさせる必要がなく容易に開口でき、ウエスト部に装着した状態でも嵩張らず、着用者に違和感を与えることなく、またウエスト部のシルエットを崩すことのない優れたアジャスタ用スライダ、及びウエスト部へのアジャスタ用スライダの取付構造の提供を、考案が解決しようとする課題とするものである。
【課題を解決するための手段】
【００１２】
長手方向に複数の掛止部を列設したスライダレールに対してスライド及び掛止が可能であり、スライダ基体と該スライダ基体の先端を開閉する金属製の操作体とを備えたアジャスタ用スライダにおいて、スライダ基体は、金属製のスライダ枠体と該スライダ枠体よりも前後幅若しくは左右幅の大きい外形を有する合成樹脂製基板とからなり、合成樹脂製基板はスライダ枠体の軸部を有する側壁が貫通する嵌込用穴を左右に備え、操作体とスライダ枠体で合成樹脂製基板を挟み、スライダ枠体と合成樹脂製基板とを固着し、開口操作における操作レバーの押下げによって、金属製の操作体の後端下部が合成樹脂基板と当接する構成としたことを特徴とするアジャスタ用スライダを基本として、課題を解決するための手段とする。
【考案の効果】
【００１３】
本考案によれば、長手方向に複数の掛止突条を列設したスライダレールと、該スライダレールに対してスライド可能なアジャスタ用スライダとを備え、該アジャスタ用スライダは、スライダ基体と該スライダ基体の先端を開閉する金属製の操作体とを備えたアジャスタ用スライダにおいて、スライダ基体は、金属製のスライダ枠体と該スライダ枠体よりも前後幅若しくは左右幅の大きい外形を有する合成樹脂製基板とからなり、合成樹脂製基板の略中央部にスライダ枠体を固着し、開口操作における操作レバーの押下げによって、金属製の操作体の後端下部が合成樹脂製基板と当接する構成としたことから、操作体に対する押圧力で合成樹脂製基板が僅かに変形するとともに、樹脂弾性によって操作体の後端下部が合成樹脂製基板上を僅かに摺動させてスライダの開口を助長し、操作体を意識して後方へスライドさせる必要がなく容易にスライダを開口できる。また、合成樹脂製基板と組み合わされるスライダ枠体は金属製とすることによって、スライダの強度を確保することができる。
【００１４】
そして、合成樹脂製基板はスライダ枠体の軸部を有する側壁が貫通する嵌込用穴を備え、操作体とスライダ枠体で合成樹脂製基板を挟み、スライダ枠体と合成樹脂製基板とを固着した構成とすることによって、合成樹脂製基板の厚みが何らアジャスタ用スライダ全体としての厚みに影響を与えず、アジャスタ用スライダの嵩の範囲で、生地への取付手段である合成樹脂製基板を具備することができ、非常に薄手とすることができる。
【００１５】
更に、本考案によれば、上記構成を備えたことによって、合成樹脂製基板をズボン、スカート等ウエスト打ち合わせ部の外側生地内面に縫着することから、取付金具を用いることも無く、嵩の低い状態を確保して簡単に取付けることができる。
【００１６】
合成樹脂製基板の基板中央部のうち左右の嵌込用穴間における厚みを、前記基板中央部の他の部分の厚みよりも薄く形成する構成を付加することによって、合成樹脂製基板に対してスライダ枠体が嵌り込むため合成樹脂製基板とスライダ枠体の夫々の下面が略面一に近い状態とし、生地に対して体裁よく取付けることができる。
【００１７】
また、合成樹脂製基板の前端部及び後端部を操作体側へ反り上がった形状とすることによって、予め着用者のウエスト部の湾曲に沿った状態に適した形状とし、着用時に違和感を生じない効果を得ることができる。
【００１８】
操作体は、軸穴の下後方に回動時の支点となる下端支持部を突設し、合成樹脂製基板の基板中央部に段部を形成し、前端部側及び後端部側の厚みを異なるものとした構成を付加することによって、突出した下端支持部によって操作体全体が前方に傾くのを低減し、操作性を向上させることができる。
【００１９】
更に、合成樹脂製基板の前方部及び後方部には、溝状の縫着部を形成した構成を付加することで、合成樹脂製基板を逢着するための縫着糸が溝状の縫着部内に嵌り込み、外部に突出することが無いことから、縫着糸の消耗を抑えることができ、アジャスタ用スライダが不慮に外れることを防止でき、上記した種々の効果を発揮するに当たって、十分な耐久性を具備させることができる。
【考案を実施するための最良の形態】
【００２０】
本考案によれば、長手方向に複数の掛止部を列設したスライダレールに対してスライド及び掛止が可能であり、スライダ基体と該スライダ基体の先端を開閉する金属製の操作体とを備えたアジャスタ用スライダにおいて、スライダ基体は、金属製のスライダ枠体と該スライダ枠体よりも前後幅若しくは左右幅の大きい外形を有する合成樹脂製基板とからなり、合成樹脂製基板はスライダ枠体の軸部を有する側壁が貫通する嵌込用穴を備え、操作体とスライダ枠体で合成樹脂製基板を挟み、スライダ枠体と合成樹脂製基板とを固着し、開口操作における操作レバーの押下げによって、金属製の操作体の後端下部が合成樹脂基板と当接し、合成樹脂製基板の前端部及び後端部は操作体側へ反り上がった形状としたアジャスタ用スライダによって、スライダの開口に際して操作体を意識して後方へスライドさせる必要がなく容易に開口でき、ウエスト部に装着した状態でも嵩張らず、着用者に違和感を与えることなく、またウエスト部のシルエットを崩すことのない優れたアジャスタ用スライダを実現した。
【実施例】
【００２１】
図１は本考案の実施例に係るアジャスタ用スライダの分解状態を示す斜視図、図２は図１のアジャスタ用スライダのスライダ基体を組立てた示す斜視図、図３は同実施例１に係るアジャスタ用スライダの一部断面とした正面図、図４は同実施例に係るアジャスタ用スライダの側面図、図５は本考案の実施例に係るアジャスタ用スライダの取付構造を示す説明図、図６は同実施例に係るアジャスタ用スライダを取付けたズボンを示す説明図である。
【００２２】
本考案の実施例１に係るアジャスタ用スライダ１は、長手方向に複数の掛止突条６０を列設した合成樹脂製のスライダレール６に対してスライド及び係止が可能となるものである。アジャスタ用スライダ１は、図１に示すように、スライダ基体３と金属製の操作体２とからなる。
【００２３】
スライダ１における前記スライダ基体３は、同図１乃至図４に示すように、金属製のスライダ枠体４と該スライダ枠体４よりも前後幅及び左右幅の大きい外形を有する厚さ２ミリメートル程度の合成樹脂製基板５とからなる。以下各構成について詳細に説明する。
【００２４】
実施例に係るスライダ枠体４は、金属製板材をプレス加工して得られるものであり、平板状の枠体基板４０の左右両端を起立して側壁４１を形成し、更に側壁４１の上端部を直角に内側へ折曲してガイド壁４２を形成している。前記側壁４１の左右夫々の後端には、アジャスタ用スライダ１の開閉を行うための軸片４３を外方へ突出して設けている。そして、前記側壁４１の各中央を部分的に切除し、開口時の操作体２のガイドを行うためのガイド用穴部４４を形成している。一方、前記枠体基板４０の中央部には前後方向に連続する嵌合用凹部４５を形成している。ここで、嵌合用凹部４５を形成する側面を凹部側面４６とする。
【００２５】
本考案の実施例に係る合成樹脂製基板５は、前記したように、スライダ枠体４よりも前後幅及び左右幅の大きい外形を有する厚さ２ミリメートル程度となる合成樹脂製の板材からなる。基板中央部５０の前側に前上がりの傾斜面（以下、前傾斜面５１ａ）を有する前方部５１、基板中央部５０の後側には後上がりの傾斜面（以下、後傾斜面５２ａ）を有する後方部５２を夫々連続して形成した構成である。
【００２６】
そして、基板中央部５０には幅方向に連続する段部５３を形成し、段部５３を境として前側を中央前部５０ａ、段部５３より後側を中央後部５０ｂとして形成している。ここで、中央前部５０ａの厚さは中央後部５０ｂの厚さよりも大きく形成している。前方部５１及び後方部５２はいずれも先端側に至るほど厚みを薄く形成している。そして、前方部５１及び後方部５２の夫々の先端側には、幅方向に連続する溝状の縫着部５５を形成している。
【００２７】
また、前記合成樹脂製基板５の基板中央部５０には、スライダ枠体４の側壁４１、ガイド壁４２が通過でき、且つ枠体基板４０が嵌る嵌込用穴５４を形成している。嵌込用穴５４は中央前部５０ａ及び中央後部５０ｂに亘って形成されており、スライダ枠体４の左右の枠体基板４０に対応して、左右対称としている。
【００２８】
嵌込用穴５４は、前記ガイド壁４２の形状に対応した長方形状輪郭の中央から幅方向中央へ連続して矩形で突出してなる横向きＴ字形状である。そして、本実施例においては、左右の嵌込用穴５４，５４間をその周縁部と面一とし、且つ左右の嵌込用穴５４，５４間の厚みを、合成樹脂製基板５の中央後部５０ｂの厚みよりも薄く形成している。
【００２９】
以上に示したスライダ枠体４の上方に合成樹脂製基板５を配置し、合成樹脂製基板５の嵌込用穴５４の下方からスライダ枠体４の左右の側壁４１及びガイド壁４２を通し、枠体基板４０を嵌め込んで、スライダ基体３を構成する。左右の枠体基板４０によって合成樹脂製基板５の嵌込用穴５４，５４間を挟み込むことで、合成樹脂製基板５とスライダ枠体４は固着される。ここで、合成樹脂製基板５とスライダ枠体４とを組合わせても、スライダ基体３全体の厚みは、スライダ枠体４の厚みに一致するため、合成樹脂製基板５を設けることがアジャスタ用スライダ１の厚みに全く影響を与えないものとすることができ、非常に薄手に形成することができる。
【００３０】
そして、前記したように、本実施例においては、左右の嵌込用穴５４，５４間をその周縁部と面一とし、且つ左右の嵌込用穴５４，５４間の厚みを、合成樹脂基板の中央後部５０ｂの厚みよりも薄く形成したことによって、合成樹脂製基板５に対してスライダ枠体４が嵌り込むため、合成樹脂製基板５から下方に僅かにスライダ枠体４が突出するものの、合成樹脂製基板５とスライダ枠体４の夫々の下面が略面一に近い状態となって、生地に対して体裁よく取付ける効果を得ることができる。
【００３１】
操作体２は、金属製板材をプレス加工して得られるものであり、平板部２０の左右を直角に折曲して夫々ガイド側板２１を形成している。ガイド側板２１の下端中央には、前記スライダ枠体４のガイド用穴部４４に対応するガイド片２２を形成している。ガイド片２２はその先端を内側へ直角に折曲した形状である。さらに、ガイド側板２１の後端側には長円形状に開口する軸穴２３を設けている。軸穴２３の下後方には、下方へ下端支持部２４を形成している。
【００３２】
また平板部２０の前端側は下方へ屈曲して係止爪２５を形成している。前記平板部２０の後端側には後方やや斜め上に向けて操作レバー２６を延設している。
【００３３】
そして、図４に示すように、操作体２の軸穴２３に対してスライダ枠体４の軸片４３が嵌り込むことによって、操作体２とスライダ基体３は一体となり、合成樹脂製基板５はスライダ枠体４から完全に離脱しない構成となる。操作レバー２６を下方へ押すことによって、軸片４３及び軸穴２３を軸とし、下端支持部２４が支点となり、軸片４３と支点のいずれか若しくは双方が僅かに滑ることで、アジャスタ用スライダ１が開口する。
【００３４】
開口時に下端支持部２４は合成樹脂製基板５に当接するため、合成樹脂製基板５の樹脂弾性で、合成樹脂製基板５の当接箇所が下方へ押され、操作体２を後方へ引く操作を行うことも無く、容易に開口することができる。
【００３５】
次に本実施例に係るアジャスタ用スライダ１を備えたアジャスタＡの衣服のウエスト部に対する取付構造について説明する。
【００３６】
図５に示すように、衣服のウエスト部Ｗの袷部分の外側生地Ｗ１の内面に、アジャスタ用スライダ１の合成樹脂製基板５の下面を当接して、前記外側生地Ｗ１と合成樹脂製基板５とを縫着する。（図３参照。）合成樹脂製基板５の縫着箇所は前記した縫着部５５で行う。溝状の縫着部５５内に縫着糸が入り込むため、外部からの縫着糸の摩滅、切断を防止することができる。
【００３７】
次に、スライダレール６は、係止突条を形成した面に対する裏面にズボン等の生地と同じ生地７を縫着する。この生地７の縫着は、外観体裁を良好とするためのものである。
【００３８】
そして、アジャスタ用スライダ１の係止爪２がスライダレール６の掛止突条６０と係止可能となる向きとして、スライダ用レール６をアジャスタ用スライダ１の合成樹脂製基板５と操作体２との間に通し、衣服のウエスト部Ｗの袷部分の内側生地Ｗ１の外面に対して、係止突条６０の形成面を内面として、両端を縫着する。
【００３９】
以上によって、本実施例に係るアジャスタ用スライダ１を備えたアジャスタＡを取付けることができる。尚、衣服のウエスト部の前方左右位置を調節可能とするために、ウエスト部の前方左右の二箇所の対称位置に当該アジャスタＡを取付ける。
【００４０】
尚、本実施例において嵌合用穴５４の形状は左右対称な横向きＴ字形状としたが、本考案においてはこれに限定するものではなく、例えば、左右対称な長方形輪郭形状等とすることもできる。しかしながら、本実施例のように嵌合用穴の形状を左右対称な横向きＴ字形状とすると、Ｔ字で形成される二つの角部が容易に撓るため、合成樹脂製基板に対するスライダ枠体４の左右の側壁４１及びガイド壁４２の通過及び枠体基板４０の嵌め込みを容易とすることができる。
【００４１】
本考案においてアジャスタレール６は掛止突条６０の形状は特に限定するものではない。また、材質についても、合成樹脂のみならず、合成繊維の織編製、合成ゴムの一体成形等、種々の公知のアジャスタレールを適用することができる。
【図面の簡単な説明】
【００４２】
【図１】本考案の実施例に係るアジャスタ用スライダの分解状態を示す斜視図である。
【図２】本考案の実施例に係るアジャスタ用スライダのスライダ基体を組立てた示す斜視図である。
【図３】本考案の実施例に係るアジャスタ用スライダの一部断面とした正面図である。
【図４】本考案の実施例に係るアジャスタ用スライダの側面図である。
【図５】本考案の実施例に係るアジャスタ用スライダの取付構造を示す説明図である。
【図６】本考案の実施例に係るアジャスタ用スライダを取付けた衣服を示す説明図である。
【符号の説明】
【００４３】
１        アジャスタ用スライダ
２        操作体
２０      平板部
２１      ガイド側板
２２      ガイド片
２３      軸穴
２４      下端支持部
２５      係止爪
２６      操作レバー
３        スライダ基体
４        スライダ枠体
４０      枠体基板
４１      側壁
４２      ガイド壁
４３      軸片
４４      ガイド用穴部
４５      嵌合用凹部
５        合成樹脂製基板
５０      基板中央部
５０ａ    中央前部
５０ｂ    中央後部
５１      前方部
５１ａ    前傾斜面
５２      後方部
５２ａ    後傾斜面
５３      段部
５４      嵌込用穴
５５      縫着部
６        スライダレール
６０      掛止突条
７        生地
Ａ        アジャスタ
Ｗ        ウエスト部
Ｗ１      外側生地
Ｗ２      内側生地
【図１】
0003117440.tif 000003
【図２】
0003117440.tif 000004
【図３】
0003117440.tif 000005
【図４】
0003117440.tif 000006
【図５】
0003117440.tif 000007
【図６】
0003117440.tif 000008
【手続補正書】
【提出日】平成17年10月21日(2005.10.21)
【手続補正１】
【補正対象書類名】実用新案登録請求の範囲
【補正対象項目名】請求項７
【補正方法】変更
【補正の内容】
【請求項７】
ウエスト部に請求項６記載のアジャスタを備えたことを特徴とする衣服。